(57)【要約】【課題】  海苔の保護機能と海苔束の結束機能を有する海苔結束シートを提供すること。【解決手段】  所定枚数に積み重ねられた乾燥海苔束を結束する海苔保護機能付海苔結束シートであって、方形の海苔保護シート部（２）と、該シート部の両側から左右方向に突出形成された海苔結束紐部（３ａ、３ｂ）とからなり、上記海苔保護シート部により上記乾燥海苔束の底面及び左右側面を少なくとも被覆可能とし、かつ当該被覆状態において上記左右の海苔結束紐部を締結して上記乾燥海苔束を結束し得るように構成する。【選択図】  図１
2006335392.tif 000002
【特許請求の範囲】
【請求項１】
所定枚数に積み重ねられた乾燥海苔束を結束する海苔保護機能付海苔結束シートであって、
方形の海苔保護シート部と、該シート部の両側から左右方向に突出形成された海苔結束紐部とからなり、
上記海苔保護シート部により上記乾燥海苔束の底面及び左右側面を少なくとも被覆可能とし、
かつ当該被覆状態において上記左右の海苔結束紐部を締結して上記乾燥海苔束を結束し得るように構成したものであることを特徴とする海苔保護機能付海苔結束シート。
【請求項２】
上記海苔保護シート部に貫通孔を設けたものであること特徴とする請求項１記載の海苔保護機能付海苔結束シート。
【請求項３】
上記海苔保護シート部と上記海苔結束紐部とを１枚のシートにより一体的に形成したものであることを特徴とする請求項１又は２記載の海苔保護機能付海苔結束シート。
【請求項４】
上記海苔保護シート部の縦方向幅は被覆する海苔の縦方向幅より広く形成されたものであることを特徴とする請求項１〜３の何れかに記載の海苔保護機能付海苔結束シート。
【請求項５】
上記海苔保護シート部の横方向幅は、該シート部により上記乾燥海苔束を被覆したとき、当該シート部の左右両側縁間に間隙が形成される程度の長さに形成されているものであることを特徴とする請求項１〜４の何れかに記載の海苔保護機能付海苔結束シート。
【発明の詳細な説明】
【技術分野】
【０００１】
本発明は、乾燥後の海苔を例えば５０枚乃至１００枚毎に重ねて結束するときに使用する海苔保護機能付海苔結束シートに関するものである。
【背景技術】
【０００２】
従来、仕入れた状態の生海苔は含水率が約９％であり、かかる状態の生海苔を乾燥機に入れて含水率が約３％まで乾燥させる。その後、特許文献１乃至３に示すような海苔束結束装置によって例えば５０枚乃至１００枚毎に束ねて海苔結束用紙テープにより当該束を結束していた。
【０００３】
あるいは束ねた海苔に海苔保護用の紙を巻き付けた後に当該海苔保護用の紙共々上記海苔結束用紙テープにて結束していた。
【０００４】
【特許文献１】実開昭６２−３３５０２（第１３図）
【特許文献２】実開昭６２−２８７０３
【特許文献３】実開昭６３−１６７８８８（第６図）
【発明の開示】
【発明が解決しようとする課題】
【０００５】
ところで、上記従来の海苔結束用紙テープは、例えば１００枚毎に結束した海苔束を結束する機能は有するが、当該海苔を保護する機能は何等具備していない。
【０００６】
また海苔保護用の紙を使用する場合、海苔保護用の紙の巻き付け作業と海苔結束用紙テープによる結束作業の２つが必要であるため、自動化する上で作業効率が悪いという課題がある。
【０００７】
そこで、本発明は、乾燥海苔束を結束する機能と共に海苔の保護機能を有する海苔保護機能付海苔結束シートを提供することを目的とする。
【課題を解決するための手段】
【０００８】
上記の目的を達成するため本発明は、
第１に、所定枚数に積み重ねられた乾燥海苔束を結束する海苔保護機能付海苔結束シートであって、方形の海苔保護シート部と、該シート部の両側から左右方向に突出形成された海苔結束紐部とからなり、上記海苔保護シート部により上記乾燥海苔束の底面及び左右側面を少なくとも被覆可能とし、かつ当該被覆状態において上記左右の海苔結束紐部を締結して上記乾燥海苔束を結束し得るように構成したものであることを特徴とする海苔保護機能付海苔結束シートにより構成される。
【０００９】
上記海苔保護シート部（２）と上記海苔結束紐部（３ａ，３ｂ）とは紙等により一体的に形成することが好ましいが、該シート部（２）と紐部（３ａ，３ｂ）とを別に形成して貼り合わせにより形成しても良い。このように構成すると、海苔保護シート部（２）により乾燥海苔束（３）の保護と海苔束（３）の結束を１枚のシートにより実現し得る。
【００１０】
第２に、上記海苔保護シート部に貫通孔を設けたものであること特徴とする上記第１記載の海苔保護機能付海苔結束シートにより構成される。
【００１１】
このように構成すると、海苔保護機能付海苔結束シートにより乾燥海苔束（３）を結束した後に、当該貫通孔（２ａ）を通して乾燥海苔の品質を容易に確認することができる。
【００１２】
第３に、上記海苔保護シート部と上記海苔結束紐部とを１枚のシートにより一体的に形成したものであることを特徴とする上記第１又は２記載の海苔保護機能付海苔結束シートにより構成される。
【００１３】
このように構成すると、海苔保護機能付海苔結束シートを例えば１枚の紙によって容易に形成することができる。
【００１４】
第４に、上記海苔保護シート部の縦方向幅は被覆する海苔の縦方向幅より広く形成されたものであることを特徴とする上記第１〜３の何れかに記載の海苔保護機能付海苔結束シートにより構成される。
【００１５】
このように構成すると、海苔保護シート部（２）により乾燥海苔束（３）の前後方向の縁部（３’，３’）を保護することができる。
【００１６】
第５に、上記海苔保護シート部の横方向幅は、該シート部により上記乾燥海苔束を被覆したとき、当該シート部の左右両側縁間に間隙が形成される程度の長さに形成されているものであることを特徴とする上記第１〜４の何れかに記載の海苔保護機能付海苔結束シートにより構成される。
【００１７】
このように構成すると、乾燥海苔束（３）の被覆後に上記間隙（Ｔ）から乾燥海苔の品質を確認することができる。
【００１８】
尚、本項において本発明の構成に対応して実施形態中の構成の符号を括弧書きで示したが、これは対応関係を明確にするために便宜上付したものであり、本発明の構成が当該実施形態中の構成に限定されることを意味するものではない。
【発明の効果】
【００１９】
本発明によると、１枚の結束シートにより海苔の保護と海苔束の結束を行うことができ、乾燥海苔束の結束作業の効率を高めることができる。
【００２０】
また、海苔保護機能付海苔結束シートにより乾燥海苔束を結束後に乾燥海苔の品質を容易に確認することができる。
【００２１】
また、海苔結束紐部は従来の締結方法と同様の方法で締結することができるため、結束作業の自動化を容易に実現することができる。
【発明を実施するための最良の形態】
【００２２】
以下、添付図面に基づいて本発明の構成を詳細に説明する。
【００２３】
図１及び図２は、本発明に係る海苔保護機能付海苔結束シート１の平面図及び斜視図であり、当該シート１は全体として１枚の紙により構成されている。シートの材質は紙が好ましいが、同様の強度、厚みを有するものであれば他の材質を使用しても良い。
【００２４】
同図において、２は長方形（四角形等の方形）の海苔保護シート部２であり、当該シート部２の中央部に例えば１００枚毎に重ねられた乾燥海苔束３（図３（イ）（ロ）参照）が載置される。
【００２５】
この乾燥海苔束３を形成する乾燥海苔１枚の寸法は、一例として、縦方向幅（ｔ１）＝２１０ｍｍ、横方向幅（ｔ２）＝１９０ｍｍであり（図３（イ））、上記海苔保護シート部２の縦方向幅ｔ１’は少なくとも上面に載置される上記海苔の縦方向幅２１０ｍｍより若干大きい幅、例えばｔ１’＝２１５ｍｍに形成される。
【００２６】
上記海苔保護シート部２の長さ（横方向幅）ｔ２’は少なくとも上記海苔束３の横方向幅ｔ２＝１９０ｍｍより長く形成し、かつ例えば１００枚毎の乾燥海苔束３に巻き付けたとき、当該海苔束３の底面及び左右側面を覆い、かつ左右端部２ｂ、２ｂ’により乾燥海苔束３の上面の一部を覆うことが可能な長さ（図３（ニ)参照）、例えばｔ２’＝４２０ｍｍに形成される。即ち、上記海苔保護シート部２の横方向幅ｔ２’は、該シート部２によって上記乾燥海苔束３を被覆したとき、当該シート部２の左右両側縁２’、２”間に間隙Ｔが形成される程度の長さに形成されている（図３（チ））。
【００２７】
尚、本実施形態では乾燥海苔１枚を広げた状態で重ねているが、広げた状態で所定枚数を重ねたものを２つ折にして結束シートで結束しても良い。この場合は乾燥海苔の大きさを２つ折にした乾燥海苔の縦横寸法として、当該２つ折りの乾燥海苔の縦横寸法と上記海苔保護機能付結束シート１の大きさとを同様に対応付けて考えれば良い。
【００２８】
２ａは上記海苔保護シート部２の中央に設けられた円形の貫通穴であり、当該シート１で乾燥海苔束３を被覆したとき、海苔束３の底面側からも当該貫通穴２ａを介して被包装海苔３の色や艶等の品質を確認できるようにしたものである。尚、乾燥海苔束３の上面側は上記左右両側縁２’，２”間の隙間Ｔから乾燥海苔束３の品質を確認することができる。
【００２９】
３ａ，３ｂは共に海苔結束紐部であり、各々上記海苔保護シート部２の左右両側縁２’、２”の中央位置から左右方向に延出形成（突出形成）されており、これら結束紐部３ａ，３ｂと上記シート部２とは１枚の紙により一体的に形成されている。尚、上記結束紐部３ａ，３ｂと上記海苔保護シート部２を別々に形成し貼合わせ等により一体としても良い。この結束紐部３ａ，３ｂは、上記保護シート部２にて乾燥海苔束３を被覆した後、互いに締結して当該シート１で乾燥海苔束３を結束した状態を維持するものである。このように、結束紐部３ａ，３ｂの長さは、図３（ニ）乃至（チ）のように、例えば１００枚毎に重ねた乾燥海苔束３を被覆した場合においても支障なく締結ができるような長さであれば良い。例えば海苔結束紐部３ａ，３ｂ共にｔ３＝２１０ｍｍである。
【００３０】
本発明は上述のように構成されるものであるから、次に本発明に係る海苔保護機能付結束シート１にて乾燥海苔束３を結束する工程を説明する。
【００３１】
乾燥海苔束３は、予め公知の海苔乾燥機（図示せず）にてその含水率が約９％から約３％程度まで乾燥せられ、乾燥後に１００枚毎に束ねられ、乾燥海苔３が形成されているものとする。
【００３２】
まずシート状に広げられた海苔保護機能付結束シート１の海苔保護シート部２の中央に上記乾燥海苔束３を載置する。このとき、保護シート部２の縦方向幅（ｔ１’）の略中央部に乾燥海苔束３の縦方向幅（ｔ１＝２１０ｍｍ）を合わせるように載置し、海苔束３の前後方向の両縁部（エッジ）３’、３’が海苔保護シート部２の縦方向幅（ｔ１’）の内側に位置するように設置する（図３（イ）（ロ））。
【００３３】
次に、海苔保護シート部２の左右端面２ｂ、２ｂ’を乾燥海苔束３の左右側面に沿って起立させ、左右端面２ｂ，２ｂ’を対向方向に折り曲げる（図３（ハ）（ニ））。これにて、乾燥海苔束３の底面、左右側面及び上面の一部が被覆されたことになる。
【００３４】
さらに、対向する海苔結束紐部３ａ，３ｂの基端部４，４をできるだけ乾燥海苔束３上面に接触させてブリッジ部５を形成し、各紐部３ａ，３ｂの表面同士をずれなく重ねて１本の結束紐部３”とし、当該接触させた１本の結束紐部３”を起立させる（図３（二））。
【００３５】
そして、起立させた上記接触状態の結束紐部３”をその下端部に捻りを加えつつ上記乾燥海苔束３の表面側に倒伏する（図３（ホ））。
【００３６】
その後、倒伏した上記結束紐部３”の左側辺３ｃを基準に右側辺３ｄ側を左方向（矢印Ａ方向）に１８０度回転させる。この状態を図３（ヘ）に示す。
【００３７】
さらに、上記ブリッジ部５の上辺５ａを基準に上記結束紐部３”を該ブリッジ部５の下側に折り曲げ（図３（ト）の状態）、かつ折り曲げた結束紐部３”における上記ブリッジ部５近傍の位置ｐから当該結束紐部３”先端部をさらに下側に折り曲げて、締結部６を形成する（図３（チ））。
【００３８】
以上により、乾燥海苔束３を結束することができる。
【００３９】
図４（イ）（ロ）に本発明に係る海苔保護用海苔結束シート１にて乾燥海苔束３を結束した状態を示す。このように、乾燥海苔束３の底面及び左右側面は海苔保護シート部２で完全に保護されると共に、海苔保護シート部２の縦方向幅ｔ１’が海苔の縦方向幅ｔ１より若干長いため、上記乾燥海苔束３の前後方向の縁部３’，３’（エッジ）も当該保護シート部２により保護することができる。
【００４０】
また、結束用紐部３ａ，３ｂは従来の締結方法と同様の方法で締結することができるため、従来の海苔結束機を利用することができ、容易に自動化することができる。
【００４１】
また、乾燥海苔束３の保護と海苔束３の結束を１枚のシートにより実現し得る。
【００４２】
また、海苔保護機能付海苔結束シート１により乾燥海苔束３を結束した後に、貫通孔２ａ又は間隙Ｔを通して乾燥海苔の品質を容易に確認することができる。
【００４３】
また、海苔保護機能付海苔結束シート１を例えば１枚の紙によって容易に形成することができ、結束シート１自体の製造が容易である。
【００４４】
また、海苔保護シート部２により乾燥海苔束３の前後方向の縁部３’，３’を保護することができる。
【００４５】
尚、図５（イ）（ロ）に示すものは、海苔保護機能付海苔結束シート１の他の実施形態を示すものであり、貫通孔２ａを他の形状（三角形、四角形）としたものである。貫通孔２ａの形状、大きさ、位置、数は任意であり、結束後に乾燥海苔の一部を見ることができる孔であれば良い。
【図面の簡単な説明】
【００４６】
【図１】本発明に係る海苔保護機能付海苔結束シートの平面図である。
【図２】同上シートの斜視図である。
【図３】同上シートにより乾燥海苔束を結束する過程を示すものであり、（イ）は結束前、（ロ）は乾燥海苔束の載置後、（ハ）は海苔保護シート部の起立状態、（ニ）乃至（チ）は結束紐部の締結の過程を示す斜視図である。
【図４】（イ）は同上シートによる乾燥海苔束の結束後の底面図、（ロ）は同上結束後の平面図である。
【図５】（イ）（ロ）は共に同上結束シートの他の実施形態を示す平面図である。
【符号の説明】
【００４７】
１              海苔保護機能付海苔結束シート
２              海苔保護シート部
２’、２”      左右両側縁
２ａ            貫通孔
３              乾燥海苔束
３ａ，３ｂ，３”  海苔結束紐部
ｔ１、ｔ１’    縦方向幅
ｔ２、ｔ２’    横方向幅
Ｔ              間隙
【図１】
2006335392.tif 000003
【図２】
2006335392.tif 000004
【図３】
2006335392.tif 000005
【図４】
2006335392.tif 000006
【図５】
2006335392.tif 000007